(57)【特許請求の範囲】
【請求項１】
軸筒内に、筆記芯の後端側にスライド駒を接続してなるスライド筆記芯が複数具備され、選択的に押動された前記スライド筆記芯がその前端の筆記部を軸筒から突出させるようにした複数出没式筆記具において、
軸筒内で前方へ収縮するように圧縮コイルバネを設け、複数の前記スライド筆記芯を一つの前記圧縮コイルバネの内周又は外周に沿って周方向へ配設するとともに、これらスライド筆記芯の各々を、一つの前記圧縮コイルバネに対し後方から当接させた複数出没式筆記具であって、
軸筒に対し前進して筆記部を突出させた状態の前記スライド駒が係止される被係止部と、複数の前記スライド駒の軸筒中心側で軸筒に対し進退可能な解除部材と、前記解除部材をその後端側で軸筒に対し後方へ付勢する付勢部材とを備え、
先に前進したスライド駒が前記被係止部に係止された状態で他のスライド駒を前進させた場合に、前進する前記他のスライド駒が前記解除部材を押動し、さらに前記解除部材が先に前進したスライド駒を押動して前記被係止部から外すようにしたことを特徴とする複数出没式筆記具。
【請求項２】
軸筒の後端側には、前記解除部材を進退可能に挿通し支持する解除部材支持部が設けられ、前記付勢部材は、前記解除部材支持部に対し前記解除部材を後方へ付勢するように設けられていることを特徴とする請求項１記載の複数出没式筆記具。
【請求項３】
前記解除部材支持部は、前記解除部材と前記スライド駒の双方に対し後方側から当接するように設けられていることを特徴とする請求項２記載の複数出没式筆記具。
【請求項４】
軸筒内の後端側に、初期位置にある前記スライド駒に対し離脱可能に嵌合する緩嵌合手段を設けたことを特徴とする請求項１乃至３何れか１項記載の複数出没式筆記具。
【発明の詳細な説明】
【技術分野】
【０００１】
本発明は、軸筒内に複数の筆記芯を装着し、これら筆記芯を選択的に出没させるようにした複数出没式筆記具に関するものである。
【背景技術】
【０００２】
従来、この種の発明には、例えば特許文献１に記載のもののように、軸筒（１０）と、前端に筆記部（２１）を有する筆記芯（リフィール２０，２０’）と、該筆記芯の後端側に接続されたスライド駒（押子４２）と、複数の筆記芯及びスライド駒をそれぞれ後方へ付勢する複数の圧縮バネ（５２，５３）とを備え、選択的に押動された前記スライド駒の前進により筆記部（２１）を軸筒から突出させるようにした筆記具がある。複数の圧縮バネ（５２，５３）は、それぞれ、筆記芯（リフィール２０，２０’）に環状に装着され、他の付勢部材との相互の干渉を避けるために、適当な隙間を置いて配設される。
この従来技術では、前記筆記芯を、色違いの複数のボールペン用リフィールや、シャープペン用リフィール、電子入力ペン用リフィール等とすることによって、多機能の筆記具を一本の軸筒でもって実現することができる。
【０００３】
しかしながら、上記従来技術によれば、筆記芯（リフィール２０，２０’）の数を増やそうとした場合、筆記芯の増加数だけ圧縮バネ（５２，５３）の数も増えることになる。そして、圧縮バネ（５２，５３）が増えると、各付勢部材の外径が筆記芯よりも大きいことや、隣接する付勢部材間に確保された前記隙間等によって、軸筒（１０）の内外径が大幅に増加してしまうおそれがあり、特に筆記芯の本数が多い場合に顕著である。
そこで、単一の圧縮バネにより複数の筆記芯を進退させる構造が求められるが、簡素な構造でもって筆記芯を進退及び係脱させるためには、工夫を要する。
【先行技術文献】
【特許文献】
【０００４】
【特許文献１】特開２００９−１１９８８０号公報
【発明の概要】
【発明が解決しようとする課題】
【０００５】
本発明は上記従来事情に鑑みてなされたものであり、その課題とする処は、筆記芯の数の増加に伴って軸径が太くなるのを抑制することができる上、簡素な構造でもって筆記芯を進退及び係脱することができる複数出没式筆記具を提供することにある。
【課題を解決するための手段】
【０００６】
上記課題を解決するための一手段は、軸筒内に、筆記芯の後端側にスライド駒を接続してなるスライド筆記芯が複数具備され、選択的に押動された前記スライド筆記芯がその前端の筆記部を軸筒から突出させるようにした複数出没式筆記具において、軸筒内で前方へ収縮するように圧縮コイルバネを設け、複数の前記スライド筆記芯を一つの前記圧縮コイルバネの内周又は外周に沿って周方向へ配設するとともに、これらスライド筆記芯の各々を、一つの前記圧縮コイルバネに対し後方から当接させた複数出没式筆記具であって、軸筒に対し前進して筆記部を突出させた状態の前記スライド駒が係止される被係止部と、複数の前記スライド駒の軸筒中心側で軸筒に対し進退可能な解除部材と、前記解除部材をその後端側で軸筒に対し後方へ付勢する付勢部材とを備え、先に前進したスライド駒が前記被係止部に係止された状態で他のスライド駒を前進させた場合に、前進する前記他のスライド駒が前記解除部材を押動し、さらに前記解除部材が先に前進したスライド駒を押動して前記被係止部から外すようにしたことを特徴とする。
【発明の効果】
【０００７】
本発明は、以上説明したように構成されているので、筆記芯の数の増加に伴って軸径が太くなるのを抑制することができる上、簡素な構造でもって筆記芯を進退及び係脱することができる。
【図面の簡単な説明】
【０００８】
【図１】本発明に係る複数出没式筆記具の一例を示す内部構造図である。
【図２】同複数出没式筆記具の要部分解図である。
【図３】同複数出没式筆記具の動作説明図であり、（I）は初期状態を示し、（II）は一方のスライド駒の押動により解除部材を前進させた状態を示す。
【図４】同複数出没式筆記具の動作説明図であり、（III）は一方のスライド駒を係止した状態を示し、（IV）は他方のスライド駒の押動により前進する解除部材を先に前進したスライド駒に当接させた状態を示す。
【図５】同複数出没式筆記具の動作説明図であり、（V）は一方のスライド駒の係止が外れた直後の状態を示し、（VI）は一方のスライド駒が後退して係合突起を解除部材に干渉させた状態を示す。
【図６】同複数出没式筆記具の動作説明図であり、（VII）は一方のスライド駒の係合突起が解除部材の被係合突起を乗越える直前の状態を示し、（VIII）は一方のスライド駒の係合突起が解除部材の被係合突起を乗越えた直後の状態を示す。
【図７】本発明に係る複数出没式筆記具の他例を（ａ）〜（ｃ）にそれぞれ示す要部断面図である。
【発明を実施するための形態】
【０００９】
本実施の形態の第一の特徴は、軸筒内に、筆記芯の後端側にスライド駒を接続してなるスライド筆記芯が複数具備され、選択的に押動された前記スライド筆記芯がその前端の筆記部を軸筒から突出させるようにした複数出没式筆記具において、軸筒内で前方へ収縮するように圧縮コイルバネを設け、複数の前記スライド筆記芯を一つの前記圧縮コイルバネの内周又は外周に沿って周方向へ配設するとともに、これらスライド筆記芯の各々を、一つの前記圧縮コイルバネに対し後方から当接させた複数出没式筆記具であって、軸筒に対し前進して筆記部を突出させた状態の前記スライド駒が係止される被係止部と、複数の前記スライド駒の軸筒中心側で軸筒に対し進退可能な解除部材と、前記解除部材をその後端側で軸筒に対し後方へ付勢する付勢部材とを備え、先に前進したスライド駒が前記被係止部に係止された状態で他のスライド駒を前進させた場合に、前進する前記他のスライド駒が前記解除部材を押動し、さらに前記解除部材が先に前進したスライド駒を押動して前記被係止部から外すようにした。
ここで、前記「筆記芯」には、ボールペン用筆記芯（リフィール）や、シャープペンシル用筆記芯、出没式サインペンや出没式マーカーペンの筆記芯、電子ペン用の筆記芯、修正ペン用の筆記芯等を含む。
【００１０】
前記構成によれば、複数のスライド筆記芯のうちの何れかが選択され、このスライド筆記芯が指等により前方へ押し動かされると、該スライド筆記芯は、一つの圧縮コイルバネを収縮させながら前進し、その前端の筆記部を軸筒から突出させて、スライド駒を被係止部に係止する。
この係止状態において、他のスライド筆記芯が指等により前方へ押し動かされると、前進する前記他のスライド駒が解除部材を押動し、さらに前記解除部材が先に前進したスライド駒を押動して前記被係止部から外す。したがって、先に前進したスライド筆記芯は、前記圧縮コイルバネに付勢されて後退する。
【００１１】
第二の特徴として、軸筒の後端側には、前記解除部材を進退可能に挿通し支持する解除部材支持部が設けられ、前記付勢部材は、前記解除部材支持部に対し前記解除部材を後方へ付勢するように設けられている。
この構成によれば、解除部材を軸筒の後端側で支持し後方へ付勢するようにしているため、該支持箇所よりも前側の構成を簡素化して生産性を向上することができる。
【００１２】
第三の特徴として、前記解除部材支持部は、前記解除部材と前記スライド駒の双方に対し後方側から当接するように設けられている。
この構成によれば、解除部材及びスライド駒が、解除部材支持部との当接箇所を基準にした軸方向位置で係脱するため、その係脱位置が前後にばらつくようなことを防ぎ、安定した動作を得ることができる。
【００１３】
第四の特徴として、軸筒内の後端側に、初期位置にある前記スライド駒に対し離脱可能に嵌合する緩嵌合手段を設けた（図７参照）。
この構成によれば、スライド筆記芯が振動等により前進してしまうのを防ぐことができる。
【００１４】
なお、上記付勢部材の好ましい一例としては、コイルバネを用い、前記解除部材支持部に挿通された前記解除部材の周囲に環状に設ける。
この構成によれば、解除部材支持部よりも前側の構成を簡素にして、生産性を向上することができる。
【実施例】
【００１５】
次に、上記特徴を有する好ましい実施例を、図面に基づいて詳細に説明する。
なお、本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、前記軸筒径方向に沿って軸筒中心から離れる方向を意味する。「軸筒径内方向」とは、前記軸筒径方向に沿って軸筒中心へ近づく方向を意味する。
【００１６】
この複数出没式筆記具１は、図１に示すように、軸筒１０と、該軸筒１０内に具備された複数種類のスライド筆記芯２１，２２と、スライド筆記芯２１，２２及び後述する解除部材７０の進退を案内するガイド体３０と、複数のスライド筆記芯２１，２２を後方へ付勢する単数の圧縮コイルバネ５０と、スライド駒２１ａ（又は２２ａ）の係止状態を解除する解除部材７０と、解除部材７０を後方へ付勢する付勢部材８０とを具備し、選択的に押動されたスライド筆記芯２１又は２２の筆記部を、軸筒１０の前端から突出させる。
【００１７】
軸筒１０は、前側軸筒１１に後側軸筒１２を接続してなる。
この軸筒１０の他例としては、１本の筒体からなる態様や、筒体の先端側に先細り状の先口を接続した態様、３本以上の筒体を接続してなる態様等とすることが可能である。
【００１８】
前側軸筒１１は、前端側を先細り状に形成した長尺筒状の部材であり、その前端には、スライド筆記芯２１，２２の筆記部を出没させるための開口部１１ａを有する。この開口部１１ａは、シャープペンシル用筆記芯２２ｂ前端の段付き状の筆記部を突出状態で係止するように、その内径が適宜に設定されている。
【００１９】
後側軸筒１２は、その後端側に、周壁を径方向へ貫通する複数の窓部１２ａ，１２ｂを有する。また、後側軸筒１２の最後端部は、開口している。
複数の窓部１２ａ,１２ｂは、軸筒周方向に所定間隔を置いて配置され、それぞれ前後方向へ延びる長尺状に形成される。
一方（図１によれば下側）の窓部１２ａは、スライド駒２１ａ（ボールペン中芯）を露出させるためのものであり、もう一方（図１によれば上側）の窓部１２ｂは、スライド駒２２ａ（シャープペンシルリフィール）を露出させるためのものである。
【００２０】
一方のスライド筆記芯２１は、スライド駒２１ａの前端側にボールペン用筆記芯２１ｂを着脱可能に接続してなる。このスライド筆記芯２１は、複数（例えば５本）設けられ、それぞれ色違いのボールペン用筆記芯２１ｂを接続している。
【００２１】
また、他方のスライド筆記芯２２は、スライド駒２２ａの前端側にシャープペンシル用筆記芯２２ｂを着脱可能に接続してなる。
【００２２】
一方のスライド駒２１ａは、その後端側に、軸筒径外方向へ突出する操作部２１ａ１を有する。また、このスライド駒２１ａにおける軸筒径内方向側（図２によれば上側）の部分には、軸筒中心側へ突出する係合突起２１ａ２と、該係合突起２１ａ２よりも後側に位置する傾斜面２１ａ３とを有する。
なお、図２中、符号２１ａ４は、受け部材６０に当接する突起である。また、符号２１ａ５は、ガイド体３０に係合してスライド駒２１ａの軸筒径外方向への移動を規制する突起である。
【００２３】
他方のスライド駒２２ａは、その後端側に、軸筒径外方向へ突出するクリップ支持部２２ａ１を有し、このクリップ支持部２２ａ１には、付勢部材（例えば、コイルバネや板バネ等）を介して開閉操作機能付きクリップ２４が装着されている（図１参照）。
また、このスライド駒２２ａにおける軸筒径内方向側（図２によれば下側）には、軸筒中心側へ突出する係合突起２２ａ２と、該係合突起２２ａ２よりも後側に位置する傾斜面２２ａ３とを有する。
なお、図２中、符号２２ａ４は、受け部材６０に当接する突起である。また、符号２２ａ５は、ガイド体３０に係合してスライド駒２２ａの軸筒径外方向への移動を規制する突起である。
【００２４】
係合突起２１ａ２，２２ａ２の各々は、前後に傾斜面を有する山形状の突起であり（図２参照）、後述する解除部材７０に対し後方から当接して、該解除部材７０を押動したり後方へ乗り越えさせたりする。
【００２５】
傾斜面２１ａ３，２２ａ３の各々は、スライド駒２１ａ（又は２２ａ）の軸筒径内方向側の面に形成された凹部の前端面である（図２参照）。この傾斜面２１ａ３（又は２２ａ３）は、後述する解除部材７０の被係合突起７２によって後方から摺接されるように、前方斜め軸筒径内方向へ傾斜している。
【００２６】
ボールペン用筆記芯２１ｂは、インク収容管の前端にボールペンチップを接続してなり、インク収容管内のインクをボールペンチップ前端から吐出する周知構造のものである。
また、シャープペンシル用筆記芯２２ｂは、芯タンクの前端側にチャック、クラッチリング、付勢部材等の鉛芯繰出し機構を接続してなる周知の構造のものであり、その前端側の段部を軸筒１０前端の開口部１１ａに係止した状態で後端側が進退されることで、芯タンク内の鉛芯を繰出す。
【００２７】
ボールペン用筆記芯２１ｂ及びシャープペンシル用筆記芯２２ｂは、デバイダー４０に挿通される。デバイダー４０は、軸筒１０内の軸方向の中央寄りに固定され、スライド筆記芯２１及びスライド筆記芯２２をそれぞれ貫通孔に挿通している。また、このデバイダー４０は、後述する圧縮コイルバネ５０の前端部を受けている。
【００２８】
また、ガイド体３０は、スライド筆記芯２１，２２のスライド駒２１ａ，２２ａの進退を案内するガイド部３１と、該ガイド部３１の後端側で解除部材７０を進退可能に支持する解除部材支持部３２とを有し、ガイド部３１を後側軸筒１２の後部側内周面に沿わせるとともに、解除部材支持部３２を後側軸筒１２後端から後方へ突出させている。このガイド体３０は、キャップ３３がノック操作されると軸筒１０内で前進し、スライド駒２１ａ，２２ａに押圧されて後退する。
【００２９】
ガイド部３１は、スライド駒２１ａ，２２ａをそれぞれ前進位置で係脱可能に係止する略筒状の部材であり、例えば、特開２０１２−２００８９９に開示される押子ガイド体（５０）の基本構造を適用すればよい。
図示例のガイド体３０は、複数のスライド駒２１ａ，２２ａの各々の進退を案内するガイド部を周方向に間隔を置いて複数有し、各ガイド部の前端側に、前進した際のスライド駒２１ａ（又は２２ａ）を軸筒径内方向へ沈み込ませて係止する段状の被係止部３１ａ（係脱手段）を有する。
【００３０】
解除部材支持部３２は、解除部材７０を進退可能に挿通する支持板部３２ａと、該支持板部３２ａから後方へ突出する付勢部材収納部３２ｂとを一体に有する。
支持板部３２ａは、その周縁部が後側軸筒１２内の段部により後退不能に受けられている。支持板部３２ａの前端面には、スライド駒２１ａ，２２ａの後端部と解除部材７０の規制突起７４との双方が、前方側から当接する。
付勢部材収納部３２ｂは、後側軸筒１２の後端開口から後方へ突出しており、その内周側に付勢部材８０を収納し、外周側にはキャップ３３を接続している。
【００３１】
また、圧縮コイルバネ５０は、軸筒１０内で前方へ収縮するように該軸筒１０の内周面に沿って単数設けられる。
この圧縮コイルバネ５０の前端座部は、軸筒１０内の進退不能部位（図示例によればデバイダー４０の後端部）に受けられている。また、圧縮コイルバネ５０の後端座部には、その後方側から、受け部材６０を介して複数のスライド筆記芯２１，２２（詳細には、スライド駒２１ａ，２２ａ）が当接している。
すなわち、複数のスライド筆記芯２１，２２は、一つの圧縮コイルバネ５０の内周側に、周方向へ所定間隔を置いて配設され、圧縮コイルバネ５０の後端座部に対し、後方側から当接している。
【００３２】
受け部材６０は、圧縮コイルバネ５０の後端座部に後方から当接する略筒状の部材であり、圧縮コイルバネ５０の収縮に伴って軸筒１０内を進退する。
この受け部材６０は、図２に示すように、圧縮コイルバネ５０の後端側に挿入される挿入部６１と、圧縮コイルバネ５０の後端座部に当接する受け部６２とから略筒状に形成され、内部にボールペン用筆記芯２１ｂ及びシャープペンシル用筆記芯２２ｂを挿通している。
【００３３】
解除部材７０は、複数のスライド駒２１ａ，２２ａの中心側に配置され、軸筒１０に対し所定量進退可能であって且つ径方向へ微動可能な長尺軸状に形成される。
この解除部材７０の前端側には、スライド駒２１ａ，２２ａの係合突起２１ａ２，２２ａ２及び傾斜面２１ａ３，２２ａ３に係合可能な被係合突起７２が設けられる。この被係合突起７２は、図示例によれば、前方へ向かって縮径する環状傾斜面を有する。
【００３４】
また、解除部材７０の後端側には、付勢部材８０を装着する付勢部材装着部７３と、付勢部材装着部７３よりも前側で該解除部材７０の後方への移動を規制する規制突起７４とが一体に設けられる。
【００３５】
付勢部材装着部７３は、解除部材支持部３２の支持板部３２ａに挿入される軸状部分であり、その周囲には、付勢部材８０（圧縮コイルバネ）が環状に装着され、付勢部材８０よりも後端側には、付勢部材８０の後端を受ける環状のバネ受け部材８１が固定される。
【００３６】
規制突起７４は、付勢部材装着部７３の外周面から径外方向へ突出する環状突起である。この規制突起７４は、支持板部３２ａに対し前方側から当接するように、支持板部３２ａ中心部の貫通孔よりも大きい外径を有する。
【００３７】
付勢部材８０は、解除部材７０を後方へ弾発する圧縮コイルバネであり、付勢部材装着部７３の周囲に環状に装着され、その前端部を支持板部３２ａに当接するとともに後端部がバネ受け部材８１に受けられる。
【００３８】
次に、上記構成の複数出没式筆記具１について、その特徴的な作用効果を詳細に説明する。なお、図３〜６中では、スライド駒２１ａ，２２ａ及び解除部材７０バネ受け部材８１等のうち、前の状態から動いた部材をハッチングしている。
先ず、図３（I）に示す初期状態では、全てのスライド駒２１ａ，２２ａが、ガイド体３０内にて解除部材支持部３２の前端面に当接している。そして、これらスライド駒２１ａ，２２ａの係合突起２１ａ２，２２ａ２に対しては、前方側から解除部材７０の被係合突起７２が当接している。解除部材７０は、付勢部材８０によって後方へ付勢されている。
【００３９】
次に、図３（II）に示すように、開閉操作機能付きクリップ２４に指等が掛けられ、開閉操作機能付きクリップ２４と一体のスライド駒２２ａが前方へ押動されると、該スライド駒２２ａは、圧縮コイルバネ５０の付勢力に抗して、受け部材６０と共に前進し、該スライド駒２２ａの係合突起２２ａ２が解除部材７０の被係合突起７２に当接し、解除部材７０を前進させる。
【００４０】
そして、スライド駒２２ａがさらに前進すると、該スライド駒２２ａと共に前進する解除部材７０が付勢部材８０（圧縮コイルバネ）を圧縮させて前進しなくなり、スライド駒２２ａの係合突起２２ａ２は、解除部材７０の被係合突起７２の前方へ乗り越える（図４（III）参照）。
そして、スライド駒２２ａは、軸筒１０内へ沈み込むようにして、ガイド体３０の被係止部３１ａ（図１参照）に係止され、スライド筆記芯２２の筆記部を突出させた筆記可能状態に保持される。
また、他方のスライド駒２１ａは、付勢部材８０の付勢力により後退した解除部材７０に当接されて、後退位置に保持される（図４（III）参照）。
【００４１】
また、先に前進したスライド駒２２ａが被係止部３１ａに係止された前記状態で、図４（IV）に示すように、他方のスライド駒２１ａが指等によって押動され前進した場合には、このスライド駒２１ａの係合突起２１ａ２に押動されて解除部材７０も前進する。
【００４２】
そして、前進する解除部材７０は、その被係合突起７２を、先に前進したスライド駒２２ａの傾斜面２２ａ３に摺接させることで、先に前進したスライド駒２２ａを、沈み込み方向に対する逆方向（図示の上方向）へ押し上げて被係止部３１ａから外す。図５（V）は、スライド駒２２ａが被係止部３１ａから外れた直後の状態である。
【００４３】
前記のようにして係止状態から解除されたスライド駒２２ａは、圧縮コイルバネ５０の付勢力によって後方へ移動してスライド筆記芯２２の筆記部を没入させ、図５（VI）に示すように、係合突起２２ａ２を、解除部材７０の被係合突起７２に当接させる。したがって、解除部材７０は、軸筒径方向において他方のスライド駒２１ａ側へ揺動するとともに、他方のスライド駒２１ａの係合突起２１ａ２との摺接により若干だけ前進する（図６（VII）参照）。
【００４４】
次に、図６（VII）（VIII）に示すように、一方のスライド駒２２ａは、解除部材７０の被係合突起７２を乗り越えて更に後退する。図６（VII）は、一方のスライド駒２２ａの係合突起２２ａ２が被係合突起７２を乗り越える直前の状態を示し、図６（VIII）は、同係合突起２２ａ２が被係合突起７２を乗り越えた直後の状態を示す。図６（VIII）では、被係合突起７２が係合突起２２ａ２によって軸筒径方向へ押されることで、解除部材７０の前端側がスライド駒２１ａ側（図示の下方）へ若干撓んでいる。
この後、スライド駒２１ａから指等が離れると、全てのスライド駒２１ａ，２２ａは、圧縮コイルバネ５０により後方へ付勢されて、図３（I）に示す初期位置に戻る。
【００４５】
上記した動作は、複数のスライド筆記芯２１，２２のうち、何れが選択された場合も、略同様にして行われることになる。
【００４６】
よって、上記構成の複数出没式筆記具１によれば、複数のスライド筆記芯２１，２２のうち、何れのスライド筆記芯２１（又は２２）が前進した場合でも、このスライド筆記芯２１（又は２２）を、一つの圧縮コイルバネ５０により、後方へ付勢することができる。このため、スライド筆記芯をそれぞれ複数の小コイルバネにより付勢するようにした従来技術に比べ、軸筒１０内の構造を簡素化することができ、ひいては、軸筒径を縮小することが可能になる。
【００４７】
次に、他の実施例について説明する。
以下に示す実施例は、複数出没式筆記具１について一部を変更したものであるため、主にその変更部分について詳細に説明し、複数出没式筆記具１と略同様の部分については同一の符号を用いることで詳細な説明を省略する。
【００４８】
図７（ａ）に要部を示す複数出没式筆記具２は、複数出没式筆記具１に対し、解除部材７０を解除部材７０ａに置換し、バネ受け部材８１を省いた構成としている。
解除部材７０ａは、付勢部材装着部７３の後端にバネ受け部７５を設けている。バネ受け部７５は、付勢部材８０の後端を受けている。
また、この解除部材７０ａにおける規制突起７４は、支持板部３２ａ中心側の貫通孔３２ａ１に対し、その後方側から挿入され、前部側に適宜外径の環状傾斜面を有する。
【００４９】
よって、図７（ａ）に示す複数出没式筆記具２によれば、先に説明した複数出没式筆記具１と同様に、筆記芯の数の増加に伴って軸径が太くなるのを抑制することができる上、解除部材７０ａ及び付勢部材８０等の構成をより簡素にすることができる。しかも、製造時には、解除部材支持部３２に付勢部材８０を装着した後、解除部材支持部３２に対し後方から解除部材７０ａを挿入すればよいので、組立性が良好である。
【００５０】
また、図７（ｂ）に示す複数出没式筆記具３は、複数出没式筆記具１に対し、解除部材７０を解除部材７０ｂに置換し、バネ受け部材８１を省き、嵌脱部材９０を加えた構成としている。
解除部材７０ｂは、その後端側において、軸状の付勢部材装着部７３の外周面に沿って付勢部材８０を環状に装着し、該付勢部材８０を、付勢部材装着部７３と一体のバネ受け部７５によって受けている。
また、この解除部材７０ｂにおける規制突起７４の前側には、初期位置にあるスライド駒２１ａ，２２ａに対し離脱可能に嵌合する嵌脱部材９０（緩嵌合手段）が設けられている。
嵌脱部材９０は、軸筒径方向へ弾性変形可能な合成樹脂材料（例えば、エラストマー樹脂やゴム等）から略筒状に形成され、解除部材７０ｂにおける規制突起７４よりも前側に同芯状に嵌合固定されている。そして、この嵌脱部材９０の外周面は、スライド駒２１ａ，２２ａに対し軸筒中心側から押し付けられている。
より詳細に説明すれば、嵌脱部材９０の外周面には、断面山形状の環状突起９１が形成され、この環状突起９１がスライド駒２１ａ，２２ａに対し押し付けられている。
【００５１】
上記構成の嵌脱部材９０によれば、スライド駒２１ａ，２２ａは、それぞれ、突起２１ａ５，２２ａ５（図２参照）をガイド体３０に当接させて軸筒径外方向への移動を規制された状態で、軸筒中心側から嵌脱部材９０によって緩く押圧される。
このため、各スライド駒２１ａ（又は２２ａ）は、振動等によって容易に前方へ移動することはないが、指等で前方へ押された際には、嵌脱部材９０との緩嵌合状態から脱して、前方へ移動する。
【００５２】
よって、図７（ｂ）に示す複数出没式筆記具３によれば、先に説明した複数出没式筆記具１，２と同様の作用効果を奏する上、各スライド駒２１ａ（又は２２ａ）の初期位置における静止状態を良好に保持することができる。
【００５３】
また、図７（ｃ）に示す複数出没式筆記具４は、複数出没式筆記具１に対し、解除部材７０を解除部材７０ｃに置換し、嵌脱部材９０を加えた構成としている。
解除部材７０ｃは、規制突起７４の前側に、嵌脱部材９０（緩嵌合手段）を嵌合固定し、付勢部材装着部７３の後端側に、付勢部材８０を受けるバネ受け部材８１を設けている。
よって、図７（ｃ）に示す複数出没式筆記具４においても、先に説明した実施例と同様の作用効果を得ることができる。
【００５４】
なお、上記実施例において、スライド筆記芯２２（シャープペンシルリフィール）を突出させて、その前端から鉛芯を繰出す操作は、従来技術等と同様に、開閉操作機能付きクリップ２４又はキャップ３３に対するノック操作により可能である。
【００５５】
また、上記実施例によれば、圧縮コイルバネ５０の内周側に複数のスライド筆記芯２１，２２を配設したが、他例としては、圧縮コイルバネ５０の外周側に複数のスライド筆記芯２１，２２を配設した構造とすることも可能である。
【００５６】
また、上記実施例によれば、スライド筆記芯の具体的態様として、ボールペン用筆記芯２１ｂを用いたスライド筆記芯２１と、シャープペンシル用筆記芯２２ｂを用いたスライド筆記芯２２とを例示したが、このスライド筆記芯の他例としては、電子入力ペンを用いたものも可能である。さらに、ボールペンとシャープペンシルの位置を入れ替えることも可能であり、また、サインペンやマーキングペン、修正ペンの筆記芯を用いて前記スライド筆記芯を構成することも可能である。
【００５７】
また、上記実施例によれば、筆記部を突出させた際のスライド筆記芯２１，２２を係止する係脱手段（被係止部３１ａ等）を、軸筒１０内で進退可能なガイド体３０に具備したが、他例としては、前記係脱手段（被係止部３１ａ等）を、軸筒１０の周壁に設けることも可能である。
【００５８】
また、上記実施例によれば、圧縮コイルバネ５０の後方向きの弾発力を、受け部材６０を介してスライド筆記芯２１，２２に伝達するようにしたが、他例としては、受け部材６０を省いて、圧縮コイルバネ５０の後方向きの弾発力をスライド筆記芯２１，２２に直接伝達するようにしてもよい。すなわち、この他例では、圧縮コイルバネ５０に対しその後方側からスライド筆記芯２１，２２を直接当接させる。
【００５９】
また、上記実施例によれば、圧縮コイルバネ５０の後端側をスライド駒２１ａ，２２ａに当接させたが、他例としては、圧縮コイルバネ５０の後端側をボールペン用筆記芯２１ｂ及びシャープペンシル用筆記芯２２ｂに当接させることも可能である。この場合、具体的には、ボールペン用筆記芯２１ｂ及びシャープペンシル用筆記芯２２ｂの外周面に突起を設け、該突起に対し、圧縮コイルバネ５０の後端を直接的又は間接的に当接させればよい。
【００６０】
また、上記実施例によれば、付勢部材８０に圧縮コイルバネを用いたが、この付勢部材８０の他例としては、解除部材７０を後方側から引っ張るバネとしてもよい。さらに、付勢部材８０の他例としては、ゴムや板バネ等、コイルバネ以外の弾性体を用いることも可能である。
【００６１】
また、上記実施例によれば、緩嵌合手段の一例として、嵌脱部材９０を解除部材７０ｂ又は７０ｃに設けたが、緩嵌合手段の他例としては、弾性材料からなる嵌脱部材をガイド体３０又は軸筒１０に設け、この嵌脱部材をスライド駒２１ａ，２２ａに対し嵌脱するようにした態様や、弾性材料からなる嵌脱部材をスライド駒２１ａ，２２ａに設け、この嵌脱部材を解除部材７０、軸筒１０又はガイド体３０に対し嵌脱するようにした態様等とすることも可能である。
【符号の説明】
【００６２】
１，２，３，４：複数出没式筆記具
２１，２２：スライド筆記芯
５０：圧縮コイルバネ
２１ａ，２２ａ：スライド駒
３１ａ：被係止部
３２：解除部材支持部
７０：解除部材
８０：付勢部材
９０：嵌脱部材（緩嵌合手段）
【図１】
0006392059.tif 000002
【図２】
0006392059.tif 000003
【図３】
0006392059.tif 000004
【図４】
0006392059.tif 000005
【図５】
0006392059.tif 000006
【図６】
0006392059.tif 000007
【図７】
0006392059.tif 000008